(57)【要約】【課題】水位差がなくても、微量な漏水量を定量的に測定することができる遮水壁構造の漏水量測定装置および測定方法を提供する。【解決手段】水中に立設された遮水用の遮水壁構造１０からの漏水量を測定するための装置１００であって、遮水壁構造１０の一方の側面１０ａに水密に固定される開口部２０を有する容器２２からなる採水手段２４と、遮水壁構造１０の一方の側面１０ａに水密に固定された採水手段２４の容器２２の内部を所定の気圧状態にする圧力調整手段とを備えるようにする。【選択図】図１
2016223849.tif 000002
【特許請求の範囲】
【請求項１】
水中に立設された遮水用の遮水壁構造からの漏水量を測定するための装置であって、
前記遮水壁構造の一方の側面に水密に固定される開口部を有する容器からなる採水手段と、
前記遮水壁構造の一方の側面に水密に固定された前記採水手段の前記容器の内部を所定の気圧状態にする圧力調整手段とを備えることを特徴とする遮水壁構造の漏水量測定装置。
【請求項２】
前記圧力調整手段は、前記遮水壁構造の一方の側面に水密に固定された前記採水手段の前記容器の内部の水を抜いて、前記容器の内部を所定の気圧状態にすることを特徴とする請求項１に記載の遮水壁構造の漏水量測定装置。
【請求項３】
前記圧力調整手段によって所定の気圧状態にされた前記容器の内部に前記開口部を通じて入り込む、前記遮水壁構造からの漏水量を測定する漏水量測定手段をさらに備えることを特徴とする請求項１または２に記載の遮水壁構造の漏水量測定装置。
【請求項４】
前記圧力調整手段は、前記容器の内部を大気圧またはそれ以下の気圧状態にすることを特徴とする請求項１〜３のいずれか一つに記載の遮水壁構造の漏水量測定装置。
【請求項５】
前記容器の内部に入り込む漏水を外部より視認可能なように前記容器を構成したことを特徴とする請求項１〜４のいずれか一つに記載の遮水壁構造の漏水量測定装置。
【請求項６】
前記圧力調整手段を、一端が前記容器の内部に連通して、他端が気中に配置された空気入れ用ホースと、一端が前記容器の内部に連通して、他端が前記容器の外部に設けた貯水槽に連通した水抜き用ホースと、前記貯水槽に接続した真空ポンプとを含んで構成したことを特徴とする請求項１〜５のいずれか一つに記載の遮水壁構造の漏水量測定装置。
【請求項７】
前記遮水壁構造は、継手を介して連結された鋼矢板または鋼管矢板によって構成された鉛直遮水壁であり、
前記容器の前記開口部は、前記継手の部分を跨ぐ態様で配置され、前記継手の部分を含めて前記鋼矢板または鋼管矢板に水密に固定可能な形状であることを特徴とする請求項１〜６のいずれか一つに記載の遮水壁構造の漏水量測定装置。
【請求項８】
前記容器の前記開口部の縁を、遮水壁に追従し、かつ変形しない硬度を備えた弾性体で構成したことを特徴とする請求項１〜７のいずれか一つに記載の遮水壁構造の漏水量測定装置。
【請求項９】
水中に立設された遮水用の遮水壁構造からの漏水量を測定するための方法であって、
前記遮水壁構造の一方の側面に、開口部を有する容器からなる採水手段の前記開口部を固定した後、前記容器の内部を所定の気圧状態にすることを特徴とする遮水壁構造の漏水量測定方法。
【請求項１０】
前記遮水壁構造の一方の側面に前記開口部を固定した後、前記容器の内部の水を抜いて、前記容器の内部を所定の気圧状態にすることを特徴とする請求項９に記載の遮水壁構造の漏水量測定方法。
【請求項１１】
前記容器の内部を所定の気圧状態にした後、前記開口部を通じて前記容器の内部に入り込む前記遮水壁構造からの漏水量を測定することを特徴とする請求項９または１０に記載の遮水壁構造の漏水量測定方法。
【請求項１２】
前記容器の内部を大気圧またはそれ以下の気圧状態にすることを特徴とする請求項９〜１１のいずれか一つに記載の遮水壁構造の漏水量測定方法。
【請求項１３】
前記容器の内部に入り込む漏水を外部より視認可能なように前記容器を構成したことを特徴とする請求項９〜１２のいずれか一つに記載の遮水壁構造の漏水量測定方法。
【請求項１４】
前記容器の前記開口部を前記遮水壁構造の一方の側面に仮固定した後、前記容器の内部の水を吸引して、前記容器の前記開口部を前記遮水壁構造の一方の側面に水密に固定するとともに、前記容器の内部を所定の気圧状態にすることを特徴とする請求項９〜１３のいずれか一つに記載の遮水壁構造の漏水量測定方法。
【請求項１５】
一端が前記容器の内部に連通して、他端が気中に配置された空気入れ用ホースと、一端が前記容器の内部に連通して、他端が前記容器の外部に設けた貯水槽に連通した水抜き用ホースと、前記貯水槽に接続した真空ポンプとを有する構成において、前記真空ポンプを作動して前記貯水槽および前記水抜き用ホースを介して前記容器の内部の水を吸引し、前記容器の前記開口部を前記遮水壁構造の一方の側面に水密に固定するとともに、前記容器の内部を所定の気圧状態にすることを特徴とする請求項９〜１４のいずれか一つに記載の遮水壁構造の漏水量測定方法。
【請求項１６】
前記遮水壁構造は、継手を介して連結された鋼矢板または鋼管矢板によって構成された鉛直遮水壁であり、
前記容器の前記開口部は、前記継手の部分を跨ぐ態様で配置され、前記継手の部分を含めて前記鋼矢板または鋼管矢板に水密に固定可能な形状であることを特徴とする請求項９〜１５のいずれか一つに記載の遮水壁構造の漏水量測定方法。
【請求項１７】
前記容器の前記開口部の縁を、遮水壁に追従し、かつ変形しない硬度を備えた弾性体で構成したことを特徴とする請求項９〜１６のいずれか一つに記載の遮水壁構造の漏水量測定方法。
【発明の詳細な説明】
【技術分野】
【０００１】
本発明は、例えば廃棄物海面処分場などの高い遮水性能が要求される遮水壁構造の漏水量を測定する装置および方法に関するものであり、特に、継手を有する鋼矢板などからなる鉛直遮水壁構造の漏水量を現地で測定するための漏水量測定装置および測定方法に関するものである。
【背景技術】
【０００２】
従来、廃棄物海面処分場などの建設においては、多数の鋼矢板や鋼管矢板などを海中に隣接配置することにより、処分場を取り囲む鉛直遮水壁を設置している。この鉛直遮水壁は継手を介して連結された多数の鋼矢板や鋼管矢板によって形成されるものであるから、適切に施工しなければ継手部分から漏水が発生するおそれがある。そのため、遮水壁設置完了後に確実に遮水できていることを確認する必要があるが、継手形状が複雑なことから、これまで例えば以下の（１）〜（３）のような方法が適用されてきた。
【０００３】
（１）一般的な方法としては、図１０（ａ）〜（ｃ）に示すように、鉛直遮水壁１の設置が完了した後に、鉛直遮水壁１によって締め切られた内側の水をポンプ２などで排出して鉛直遮水壁１の内外に水位差を作り出し、鉛直遮水壁１の継手部分３からの漏水Ｗの有無を、海中に潜ったダイバー４が目視や触診などにより確認する（例えば、特許文献１を参照）。
【０００４】
（２）ダイバーの目視等に頼らない方法としては、上記の（１）と同様にして鉛直遮水壁の内外で水位差を作り、流量検出装置を継手の上下方向に垂らして継手部分からの漏水量（流量）を検出する方法がある（例えば、特許文献１を参照）。
【０００５】
（３）その他の方法としては、トレーサーを用いた漏水検知方法や観測井戸を設ける方法などがある（例えば、特許文献２および３を参照）。
【先行技術文献】
【特許文献】
【０００６】
【特許文献１】特開平６−９４５６３号公報
【特許文献２】特開２００６−１５０２０２号公報
【特許文献３】特開２００４−４９９５９号公報
【発明の概要】
【発明が解決しようとする課題】
【０００７】
しかしながら、上記の（１）の方法では、鉛直遮水壁を構成する全ての鋼矢板または鋼管矢板の設置完了後でなければ締め切り側の抜水ができないため、例えば年度工事などで分割された施工区間毎に異なる業者が施工する場合等や施工途上では水位差の形成が困難となり、漏水の確認作業が難しく、施工品質に対する責任が不明瞭となるといった問題がある。
【０００８】
また、廃棄物処分場の遮水壁には通常、遮水性能の基準値が設けられている。例えば透水係数が１．０×１０−６ｃｍ／ｓかつ厚さが５０ｃｍ以上と規定されている。このとき、例えば３０ｋＰａの水圧（３ｍの水位差に相当）で１ｍ２の壁から１分間にしみでてくる水の量は、３．６ｃｍ３となる。鋼矢板や鋼管矢板などを用いた鉛直遮水壁では、漏水は継手部分のみで発生すると考えられるため、上記の例で言えば遮水性能を満たしていることを測定により明らかにするためには、１ｍ２の壁に含まれる継手部分からの漏水量が１分間に３．６ｃｍ３より小さいことを証明する必要がある。このように、漏水量が少ない場合には、ダイバーによる目視確認では定量的な漏水量の把握が困難であるといった問題もある。
【０００９】
また、上記の（２）の方法では、流量計を用いるため定量的な漏水量の把握は可能である。しかしながら、こうした流量計はそもそも海面処分場などの高い遮水性能が要求される鉛直遮水壁を対象としておらず、上述しているような微量の漏水量では検知が不可能である。
【００１０】
上記の（３）のトレーサーを用いた検知方法は、微量の漏水量でも漏水検知が可能であるが、定量的な漏水量の把握が困難である。観測井戸を設置する方法では、井戸を設置した場所だけしか測定できないといった問題がある。
【００１１】
また、上記の（２）、（３）いずれの方法においても、鉛直遮水壁の内外に水位差を作り出す必要があることから、処分場を囲む鉛直遮水壁全体の設置が完了した後でなければ測定できないという問題がある。
【００１２】
本発明は、上記に鑑みてなされたものであって、水位差がなくても、微量な漏水量を定量的に測定することができる遮水壁構造の漏水量測定装置および測定方法を提供することを目的とする。
【課題を解決するための手段】
【００１３】
上記した課題を解決し、目的を達成するために、本発明に係る遮水壁構造の漏水量測定装置は、水中に立設された遮水用の遮水壁構造からの漏水量を測定するための装置であって、前記遮水壁構造の一方の側面に水密に固定される開口部を有する容器からなる採水手段と、前記遮水壁構造の一方の側面に水密に固定された前記採水手段の前記容器の内部を所定の気圧状態にする圧力調整手段とを備えることを特徴とする。
【００１４】
また、本発明に係る他の遮水壁構造の漏水量測定装置は、上述した発明において、前記圧力調整手段は、前記遮水壁構造の一方の側面に水密に固定された前記採水手段の前記容器の内部の水を抜いて、前記容器の内部を所定の気圧状態にすることを特徴とする。
【００１５】
また、本発明に係る他の遮水壁構造の漏水量測定装置は、上述した発明において、前記圧力調整手段によって所定の気圧状態にされた前記容器の内部に前記開口部を通じて入り込む、前記遮水壁構造からの漏水量を測定する漏水量測定手段をさらに備えることを特徴とする。
【００１６】
また、本発明に係る他の遮水壁構造の漏水量測定装置は、上述した発明において、前記圧力調整手段は、前記容器の内部を大気圧またはそれ以下の気圧状態にすることを特徴とする。
【００１７】
また、本発明に係る他の遮水壁構造の漏水量測定装置は、上述した発明において、前記容器の内部に入り込む漏水を外部より視認可能なように前記容器を構成したことを特徴とする。
【００１８】
また、本発明に係る他の遮水壁構造の漏水量測定装置は、上述した発明において、前記圧力調整手段を、一端が前記容器の内部に連通して、他端が気中に配置された空気入れ用ホースと、一端が前記容器の内部に連通して、他端が前記容器の外部に設けた貯水槽に連通した水抜き用ホースと、前記貯水槽に接続した真空ポンプとを含んで構成したことを特徴とする。
【００１９】
また、本発明に係る他の遮水壁構造の漏水量測定装置は、上述した発明において、前記遮水壁構造は、継手を介して連結された鋼矢板または鋼管矢板によって構成された鉛直遮水壁であり、前記容器の前記開口部は、前記継手の部分を跨ぐ態様で配置され、前記継手の部分を含めて前記鋼矢板または鋼管矢板に水密に固定可能な形状であることを特徴とする。
【００２０】
また、本発明に係る他の遮水壁構造の漏水量測定装置は、上述した発明において、前記容器の前記開口部の縁を、遮水壁に追従し、かつ変形しない硬度を備えた弾性体で構成したことを特徴とする。
【００２１】
また、本発明に係る遮水壁構造の漏水量測定方法は、水中に立設された遮水用の遮水壁構造からの漏水量を測定するための方法であって、前記遮水壁構造の一方の側面に、開口部を有する容器からなる採水手段の前記開口部を固定した後、前記容器の内部を所定の気圧状態にすることを特徴とする。
【００２２】
また、本発明に係る他の遮水壁構造の漏水量測定方法は、上述した発明において、前記遮水壁構造の一方の側面に前記開口部を固定した後、前記容器の内部の水を抜いて、前記容器の内部を所定の気圧状態にすることを特徴とする。
【００２３】
また、本発明に係る他の遮水壁構造の漏水量測定方法は、上述した発明において、前記容器の内部を所定の気圧状態にした後、前記開口部を通じて前記容器の内部に入り込む前記遮水壁構造からの漏水量を測定することを特徴とする。
【００２４】
また、本発明に係る他の遮水壁構造の漏水量測定方法は、上述した発明において、前記容器の内部を大気圧またはそれ以下の気圧状態にすることを特徴とする。
【００２５】
また、本発明に係る他の遮水壁構造の漏水量測定方法は、上述した発明において、前記容器の内部に入り込む漏水を外部より視認可能なように前記容器を構成したことを特徴とする。
【００２６】
また、本発明に係る他の遮水壁構造の漏水量測定方法は、上述した発明において、前記容器の前記開口部を前記遮水壁構造の一方の側面に仮固定した後、前記容器の内部の水を吸引して、前記容器の前記開口部を前記遮水壁構造の一方の側面に水密に固定するとともに、前記容器の内部を所定の気圧状態にすることを特徴とする。
【００２７】
また、本発明に係る他の遮水壁構造の漏水量測定方法は、上述した発明において、一端が前記容器の内部に連通して、他端が気中に配置された空気入れ用ホースと、一端が前記容器の内部に連通して、他端が前記容器の外部に設けた貯水槽に連通した水抜き用ホースと、前記貯水槽に接続した真空ポンプとを有する構成において、前記真空ポンプを作動して前記貯水槽および前記水抜き用ホースを介して前記容器の内部の水を吸引し、前記容器の前記開口部を前記遮水壁構造の一方の側面に水密に固定するとともに、前記容器の内部を所定の気圧状態にすることを特徴とする。
【００２８】
また、本発明に係る他の遮水壁構造の漏水量測定方法は、上述した発明において、前記遮水壁構造は、継手を介して連結された鋼矢板または鋼管矢板によって構成された鉛直遮水壁であり、前記容器の前記開口部は、前記継手の部分を跨ぐ態様で配置され、前記継手の部分を含めて前記鋼矢板または鋼管矢板に水密に固定可能な形状であることを特徴とする。
【００２９】
また、本発明に係る他の遮水壁構造の漏水量測定方法は、上述した発明において、前記容器の前記開口部の縁を、遮水壁に追従し、かつ変形しない硬度を備えた弾性体で構成したことを特徴とする。
【発明の効果】
【００３０】
本発明に係る遮水壁構造の漏水量測定装置によれば、水中に立設された遮水用の遮水壁構造からの漏水量を測定するための装置であって、前記遮水壁構造の一方の側面に水密に固定される開口部を有する容器からなる採水手段と、前記遮水壁構造の一方の側面に水密に固定された前記採水手段の前記容器の内部を所定の気圧状態にする圧力調整手段とを備えるので、容器の内部を所定の気圧状態（例えば大気圧）にすることによって、容器の内部と、容器と同じ深さにある遮水壁構造の他方の側面との間に、容器の設置水深と気圧状態に応じた水頭差を作り出すことができる。この水頭差によって遮水壁構造の他方の側面から容器の開口部に向かう浸透流が発生し、漏水として容器の内部に溜まっていく。所定時間当たりの容器への貯留量を測定すれば漏水量を測定可能である。したがって、本発明によれば、遮水壁構造の内外に水位差がなくても、遮水壁構造からの微量な漏水量を定量的に測定することができるという効果を奏する。
【図面の簡単な説明】
【００３１】
【図１】図１は、本発明に係る遮水壁構造の漏水量測定装置および測定方法の実施の形態を説明する側面断面図であり、（１）は鉛直遮水壁の内外に水位差がない場合、（２）水位差がある場合、（３）は本発明によって水頭差を作り出した場合の図である。
【図２】図２は、鋼矢板からなる鉛直遮水壁の平面断面図である。
【図３】図３は、本発明に係る遮水壁構造の漏水量測定装置の実施の形態を示す概略斜視図である。
【図４】図４は、開口部から見た容器の概略斜視図である。
【図５】図５は、本発明に係る遮水壁構造の漏水量測定方法の実施の形態を示す工程１の図である。
【図６】図６は、仮固定手段で容器を仮固定する場合の一例を示した概略斜視図である。
【図７】図７は、容器の上端部の隙間をコーキング材で塞いだ状態を示す概略斜視図である。
【図８】図８は、本発明に係る遮水壁構造の漏水量測定方法の実施の形態を示す工程２の図である。
【図９】図９は、本発明に係る遮水壁構造の漏水量測定方法の実施の形態を示す工程３の図である。
【図１０】図１０は、従来の鉛直遮水壁からの漏水の有無を確認する方法の説明図であり、（ａ）は鉛直遮水壁で閉合した状態を示す上面図、（ｂ）は鉛直遮水壁の部分拡大図、（ｃ）は鉛直遮水壁を外部から見た斜視図である。
【発明を実施するための形態】
【００３２】
以下に、本発明に係る遮水壁構造の漏水量測定装置および測定方法の実施の形態を図面に基づいて詳細に説明する。なお、この実施の形態によりこの発明が限定されるものではない。
【００３３】
［遮水壁構造の漏水量測定装置］
まず、本発明に係る遮水壁構造の漏水量測定装置について説明する。
【００３４】
図１（１）に示すように、海底地盤Ｇから海面ＷＬ上にかけて鉛直遮水壁１０（遮水壁構造）が立設されている。この鉛直遮水壁１０は、図２に示すように、側部の継手１２同士を嵌合して連結された多数の鋼矢板１４からなる。
【００３５】
図１（１）に示すように、鉛直遮水壁１０によって海中（水中）は外側１６と内側１８とに仕切られており、内側１８の領域は将来的に廃棄物によって埋め立てられ、廃棄物海面処分場となる。鉛直遮水壁１０を立設した直後は、外側１６と内側１８とに水頭差Δｈは生じていないので鉛直遮水壁１０からの漏水はない。
【００３６】
図１（２）に示すように、内側１８の水位を下げ水頭差Δｈを作り出すと、鉛直遮水壁１０の外側１６から内側１８への漏水Ｗが生じるようになる。従来はこの状態を作り出し、漏水量を測定していた。
【００３７】
これに対し、本発明に係る遮水壁構造の漏水量測定装置１００は、図１（３）に示すように、鉛直遮水壁１０の内側の側面１０ａに水密に固定される開口部２０を有する容器２２からなる採水手段２４と、容器２２の内部を所定の気圧状態にする図示しない圧力調整手段とを備えるものである。本発明に係る遮水壁構造の漏水量測定装置１００を用いれば、外側１６と内側１８とに図１（２）のような水位差を形成せずとも、外側１６と容器２２の内部との間に水頭差Δｈを作り出すことが可能である。この漏水量測定装置１００の構成について以下具体的に説明する。
【００３８】
図３は、本発明に係る遮水壁構造の漏水量測定装置１００の構成図である。この図に示すように、本発明に係る遮水壁構造の漏水量測定装置１００は、鉛直遮水壁１０の内側の側面１０ａに水密に固定される開口部２０を有する容器２２からなる採水手段２４と、容器２２の内部を所定の気圧状態にする圧力調整手段２６とを備える。
【００３９】
図４は、採水手段２４の容器２２を開口部２０から見たものである。この図および図３に示すように、容器２２は、一方の側面が開口した直方体箱状のものであり、容器２２の内部に入り込む漏水を外部より視認可能なように透明のアクリルで構成してある。こうすることで、容器２２の内部の設置状況や漏水状況を外部より容易に確認することができる。
【００４０】
なお、容器２２はダイバーによって鉛直遮水壁１０に設置される。このため、容器２２の大きさと重さは人力で持ち運び可能なサイズと重さであることが好ましいが、継手１２の全長部分の漏水量を測定可能なサイズとすることも可能である。ただし、小さ過ぎると測定対象とする継手の長さが短くなることから漏水量が少なくなり測定に時間を要したり、継手全長を測定する場合は測定回数が増えるので適度な大きさ（例えば高さ３０ｃｍ、幅２０ｃｍ、奥行き１５ｃｍ程度）が望ましい。
【００４１】
容器２２の開口部２０は、図３に示すように、継手１２の部分を跨ぐ態様で配置されることから、継手１２の部分の形状に合わせて段差状に形成され、継手１２の部分を含めて鋼矢板１４に水密に固定可能な形状となっている。
【００４２】
ただし、鉛直遮水壁１０の継手１２は施工性を考慮して嵌合部に余裕をもたせているため、全ての継手１２で同じ形状とはならず、開口部２０は様々な継手１２の形状に密着できる構造とする必要がある。そこで鉛直遮水壁１０の側面１０ａに接触する開口部２０の縁には、所定の変形性能を有し、側面１０ａに当接配置した際に水密性を確保可能なゴム２８を取り付けている。ゴム２８を取り付けることで、容器２２の周囲の水は容器２２の内部に入り込むことがない。
【００４３】
このゴム２８は硬すぎると継手１２の形状に密着せず、柔らかすぎると容器２２の内部の水を抜いた際に、容器２２の外部の水圧によって変形するおそれがある。このため、ゴム２８は、日本ゴム協会標準規格ＳＲＩＳＯ１０１のアスカーＣ（Ａｓｋｅｒ  Ｃ）硬度で１０度程度のゴムで構成することが望ましい。このようにすれば、継手１２の部分を跨って開口部２０を水密に固定する際にゴム２８が継手１２の部分の形状に応じて変形して密着性を高めるとともに、その後、容器２２の内部を所定の気圧状態にした際にゴム２８が過剰に変形するのを抑制することができる。
【００４４】
容器２２の上面２２ａにはバルブを内蔵したカプラ３２が設けてあり、容器２２の下面２２ｂにはバルブを内蔵したカプラ３６が設けてある。また、容器２２の上面２２ａには持ち運び可能なようにＵ字状の把持部３０が設けてある。こうすることで、ダイバーなどの人力によって容器２２を容易に鉛直遮水壁１０の側面１０ａに固定することが可能である。
【００４５】
圧力調整手段２６は、鉛直遮水壁１０の側面１０ａに水密に固定された採水手段２４の容器２２の内部の水を抜いて、容器２２の内部を所定の気圧状態にするためのものである。この圧力調整手段２６は、一端がカプラ３２を介して容器２２の内部に連通して、他端が気中に配置された空気入れ用ホース３４と、一端がカプラ３６を介して容器２２の内部に連通して、他端が容器２２の外部に設けた貯水槽４０に連通した水抜き用ホース３８と、貯水槽４０に接続した真空ポンプ４２とを含んで構成してある。真空ポンプ４２には駆動用のポータブル発電機４４が接続してある。本発明は、こうした簡単な構成で鉛直遮水壁１０からの微量な漏水量を定量的に測定することが可能である。
【００４６】
また、この漏水量測定装置１００は、圧力調整手段２６によって所定の気圧状態にされた容器２２の内部に開口部２０を通じて入り込む、鉛直遮水壁１０からの漏水量を測定する図示しない漏水量測定手段をさらに備えている。
【００４７】
この漏水量測定手段としては、容器２２の側面に内部に溜まった水量を測定するための目盛を付けておき、所定経過時間毎に目盛から読み取った水量を除算して漏水量を測定する方式を用いることができる。また、容器２２の下面２２ｂに目盛付の有底円筒などの集水枡を設けておき、この集水桝によって漏水量を測定する方式でもよい。
【００４８】
上記構成の動作および作用を説明する。
鉛直遮水壁１０の側面１０ａの継手１２の部分を跨るように容器２２を固定した後、真空ポンプ４２を作動して貯水槽４０および水抜き用ホース３８を介して容器２２の内部の水を吸引し、容器２２の開口部２０を鉛直遮水壁１０の側面１０ａに水密に固定するとともに、容器２２の内部を所定の気圧状態（例えば大気圧）にする。
【００４９】
こうすることで、図１（３）に示すように、容器２２の内部と、容器２２と同じ深さにある鉛直遮水壁１０の他方の側面との間に、容器２２の設置水深と気圧状態に応じた水頭差Δｈを容易に作り出すことができる。
【００５０】
また、この水頭差Δｈによって鉛直遮水壁１０の内側１８から容器２２の開口部２０に向かう浸透流による漏水Ｗが発生し、容器２２の内部に溜まっていく。所定時間当たりの容器２２への貯留量を測定すれば漏水量を測定可能である。したがって、本発明によれば、鉛直遮水壁１０の内外に水位差がなくても、鉛直遮水壁１０からの微量な漏水量を定量的に測定することができる。このため、海面処分場建設計画において、全ての鉛直遮水壁が完成していない段階でも、継手の部分からの漏水量の測定が可能となる。
【００５１】
また、鉛直遮水壁１０の側面１０ａに水密に固定された容器２２の内部の水を抜く際に、容器２２の内部に比べて外部の水圧が相対的に大きくなり、容器２２を側面１０ａに押し付ける力が強くなるので、側面１０ａに対する容器２２の開口部２０の密着性を高めることができる。これにより、継手１２の部分からの漏水量のみを効率よく測定することが可能となる。
【００５２】
上記の実施の形態において、圧力調整手段２６は、カプラ３２、３６に内蔵されたバルブの開度を開閉調整したり、真空ポンプ４２の出力を調整することで容器２２の内部を大気圧以下の気圧状態にしてもよいが、いずれにしても漏水量測定中の容器２２の内部の気圧は一定状態に保つ必要がある。こうすることで、所望の水頭差を作り出すことができる。大気圧よりも小さくすればより大きな水頭差を作り出すことが可能となり、鉛直遮水壁１０からの漏水の吸い出し力が高まって漏水量は増大する。漏水量が増大することで、漏水量の測定時間を短くすることができる。
【００５３】
また、上記の実施の形態において、図６に示すように、容器２２の開口部２０を鉛直遮水壁１０の側面１０ａに仮固定するための仮固定手段５０をさらに備えてもよい。仮固定手段５０は、例えばＵ字状のアーム４６とその両端部に設けた磁石４８で構成することができる。アーム４６を容器２２の後面から側面１０ａに向けて押し付ければ、容器２２は磁石４８の磁力によって側面１０ａに容易に仮固定される。こうすることで、作業初期段階における容器２２の固定作業を容易に行うことができる。
【００５４】
また、上記の実施の形態において、図７に示すように、容器２２の開口部２０が水密に固定される継手１２の部分の上端部１２ａの隙間、および図示しない下端部の隙間にコーキング材５２などを塗布してこの隙間を塞ぐことが好ましい。継手１２の部分の上下端部には、隙間が生じやすいからである。隙間を塞ぐことで、この隙間から容器２２の内部への水の浸入が防止され、容器２２の水密性をより確実にすることができる。
【００５５】
［遮水壁構造の漏水量測定方法］
次に、本発明に係る遮水壁構造の漏水量測定方法について説明する。
【００５６】
本発明に係る遮水壁構造の漏水量測定方法は、上述した遮水壁構造の漏水量測定装置１００を用いて鉛直遮水壁１０からの漏水量を測定するための方法である。この方法は、図１（３）に示すように、鉛直遮水壁１０の側面１０ａに容器２２の開口部２０を固定した後、容器２２の内部を所定の気圧状態にし、開口部２０を通じて容器２２の内部に入り込む鉛直遮水壁１０からの漏水量を測定するものである。
【００５７】
本発明に係る遮水壁構造の漏水量測定方法の具体的手順について説明する。
【００５８】
まず、継手への容器２２の密着性を確保するため、鉛直遮水壁１０の側面１０ａに生じている錆や付着物をたわし等で除去しておく。
【００５９】
そして、図５の工程１に示すように、ダイバーの手作業によって、海面ＷＬ付近において、鉛直遮水壁１０の継手１２の部分を跨ぐ態様で側面１０ａに採水手段２４の容器２２の開口部２０を仮固定する。
【００６０】
なお、海面下の位置に容器２２を仮固定すれば、容器２２の内部は水で満たされた状態となる。鉛直遮水壁１０の内外は同一水位であることから容器２２の内部と鉛直遮水壁１０の外側１６との間に水頭差はない。また、干潮時に海面ＷＬ付近で容器２２を仮固定すれば、その後の潮位の上昇によって容器２２全体を完全没水させることが可能であるとともに、所望の設置水深が作り出せることから、作業安全上望ましい。
【００６１】
また、容器２２の仮固定は、図６に示すように、Ｕ字状のアーム４６とその両端部に設けた磁石４８からなる仮固定手段５０によって行ってもよい。この場合、アーム４６を容器２２の後面から側面１０ａに向けて押し付ければ、容器２２は磁石４８の磁力によって側面１０ａに容易に仮固定される。こうすることで、作業初期段階における容器２２の固定作業を容易に行うことができる。
【００６２】
また、図７に示すように、容器２２の開口部２０が水密に固定される継手１２の部分の上端部１２ａの隙間、および図示しない下端部の隙間にコーキング材５２などを塗布してこの隙間を予め塞いでおくことが好ましい。継手１２の部分の上下端部には、隙間が生じやすいからである。隙間を塞ぐことで、この隙間から容器２２の内部への水の浸入が防止され、容器２２の水密性をより確実にすることができる。
【００６３】
続いて、図８の工程２に示すように、容器２２の上下面の図示しないカプラに空気入れ用ホース３４および水抜き用ホース３８をそれぞれ接続する。空気入れ用ホース３４の端部は気中に出しておく。
【００６４】
続いて、図９の工程３に示すように、ボート等で貯水槽４０、真空ポンプ４２、ポータブル発電機４４を容器２２のそばまで運搬し、水抜き用ホース３８の端部を貯水槽４０に接続する。
【００６５】
その後の潮位の上昇等によって容器２２全体が海面下に完全没水した状態において、真空ポンプ４２を作動する。これにより貯水槽４０の中を真空にさせ、水抜き用ホース３８を介して容器２２の内部の水を抜く。空気入れ用ホース３４から空気が入り込んで、容器２２の内部に大気圧状態が作り出される。
【００６６】
こうすることで、鉛直遮水壁１０の外側１６と容器２２の内部との間には、海面から容器２２の底面までの水深分の水頭差が形成されることになり、容器２２の内部に開口部２０を介して継手１２の部分からの漏水が入り込むようになる。一方、容器２２には周囲の水によって容器２２を継手１２側に押す方向の水圧が作用する。この水圧は作り出した水頭差に応じた大きさのものとなる。この作用水圧によって、周囲の水は容器２２の内部に入りにくくなり、容器２２の周囲の水に対する水密性が確保される。
【００６７】
なお、上記の実施の形態において、容器２２の内部を必ずしも大気圧状態にする必要はなく、さらに気圧を下げて継手１２からの漏水を促進させてもよいが、容器２２の内部の気圧は一定状態に保つ必要がある。
【００６８】
また、真空ポンプ４２で容器２２の水を抜き始める初期段階は、ダイバーにて軽く容器２２を鉛直遮水壁１０に押し当て、外部から容器２２の内部に水が入らないよう密着性を保つことが望ましい。
【００６９】
容器２２の内部の水が完全に抜けた時点から、一定時間までの間に漏水した水量を測定することにより遮水性能の指標となる換算透水係数を以下の式（１）により把握することができる。
【００７０】
Ｋ＝Ｑ／（ｉ×Ａ）      ・・・式（１）
ただし、
Ｋ：５０ｃｍ壁厚とした場合の換算透水係数
Ｑ：漏水速度で累積漏水量÷経過時間
ｉ：動水勾配。水頭差Δｈの場合、ｉ＝Δｈ／５０
Ａ：評価面積。Ａ＝容器の高さ×遮水壁の継手間隔。
【００７１】
例えば、容器２２の高さが３０ｃｍ、鉛直遮水壁１０の継手間隔が６０ｃｍ、水頭差が２００ｃｍの場合で２時間後の漏水量が１０ｃｍ３であれば、５０ｃｍ壁厚の換算透水係数は、上記の式（１）より１．９３×１０−７ｃｍ／ｓとなる。
【００７２】
このように、本発明によれば継手１２の部分に水密に固定した容器２２の内部の水を抜くことによって、図１（３）に示すように、容器２２の内部と、容器２２と同じ深さにある鉛直遮水壁１０の他方の側面との間に、容器２２の設置水深と気圧状態に応じた水頭差Δｈを容易に作り出すことができる。また、容器２２の内部の水を抜くと外水圧により容器２２が鉛直遮水壁１０により密着するので、継手１２の部分からの漏水量のみを効率よく測定することが可能となる。
【００７３】
また、この水頭差Δｈによって鉛直遮水壁１０の外側１６から容器２２の開口部２０に向かう浸透流による漏水Ｗが発生し、容器２２の内部に溜まっていく。所定時間当たりの容器２２への貯留量を測定すれば漏水量を測定可能である。したがって、本発明によれば、鉛直遮水壁１０の内外に水位差がなくても、鉛直遮水壁１０からの微量な漏水量を定量的に測定することができる。このため、海面処分場建設計画において、全ての鉛直遮水壁が完成していない段階でも、継手の部分からの漏水量の測定が可能となる。
【００７４】
なお、上記の実施の形態においては、鋼矢板１４からなる鉛直遮水壁１０の場合を例にとり説明したが、本発明はこれに限るものではなく、例えば継手で連結された多数の鋼管矢板からなる鉛直遮水壁や、継手による継ぎ目のない遮水壁やコンクリート、セメント系材料あるいは他の材料などからなる遮水壁に対して適用することも可能であり、いずれにしても本発明と同様の作用効果を奏することができる。
【００７５】
以上説明したように、本発明に係る遮水壁構造の漏水量測定装置によれば、水中に立設された遮水用の遮水壁構造からの漏水量を測定するための装置であって、前記遮水壁構造の一方の側面に水密に固定される開口部を有する容器からなる採水手段と、前記遮水壁構造の一方の側面に水密に固定された前記採水手段の前記容器の内部を所定の気圧状態にする圧力調整手段とを備えるので、容器の内部を所定の気圧状態（例えば大気圧）にすることによって、容器の内部と、容器と同じ深さにある遮水壁構造の他方の側面との間に、容器の設置水深と気圧状態に応じた水頭差を作り出すことができる。この水頭差によって遮水壁構造の他方の側面から容器の開口部に向かう浸透流が発生し、漏水として容器の内部に溜まっていく。所定時間当たりの容器への貯留量を測定すれば漏水量を測定可能である。したがって、本発明によれば、遮水壁構造の内外に水位差がなくても、遮水壁構造からの微量な漏水量を定量的に測定することができる。
【００７６】
また、本発明に係る他の遮水壁構造の漏水量測定装置によれば、前記圧力調整手段は、前記遮水壁構造の一方の側面に水密に固定された前記採水手段の前記容器の内部の水を抜いて、前記容器の内部を所定の気圧状態にするので、容器の内部と、容器と同じ深さにある遮水壁構造の他方の側面との間に、容易に水頭差を作り出すことができる。また、容器の内部に比べて外部の水圧が相対的に大きくなるので、側面に対する容器の開口部の密着性を高めることができる。
【００７７】
また、本発明に係る他の遮水壁構造の漏水量測定装置によれば、前記圧力調整手段によって所定の気圧状態にされた前記容器の内部に前記開口部を通じて入り込む、前記遮水壁構造からの漏水量を測定する漏水量測定手段をさらに備えるので、遮水壁構造からの微量な漏水量を定量的に測定することができる。
【００７８】
また、本発明に係る他の遮水壁構造の漏水量測定装置によれば、前記圧力調整手段は、前記容器の内部を大気圧またはそれ以下の気圧状態にするので、所望の水頭差を作り出すことができる。大気圧よりも小さくすればより大きな水頭差を作り出すことが可能となり、遮水壁構造からの漏水の吸い出し力が高まって漏水量は増大する。漏水量が増大することで、漏水量の測定時間を短くすることができる。
【００７９】
また、本発明に係る他の遮水壁構造の漏水量測定装置によれば、前記容器の内部に入り込む漏水を外部より視認可能なように前記容器を構成したので、容器の内部の漏水状況を外部より容易に確認することができる。
【００８０】
また、本発明に係る他の遮水壁構造の漏水量測定装置によれば、前記圧力調整手段を、一端が前記容器の内部に連通して、他端が気中に配置された空気入れ用ホースと、一端が前記容器の内部に連通して、他端が前記容器の外部に設けた貯水槽に連通した水抜き用ホースと、前記貯水槽に接続した真空ポンプとを含んで構成したので、簡単な構成で遮水壁構造からの微量な漏水量を定量的に測定することができる。
【００８１】
また、本発明に係る他の遮水壁構造の漏水量測定装置によれば、前記遮水壁構造は、継手を介して連結された鋼矢板または鋼管矢板によって構成された鉛直遮水壁であり、前記容器の前記開口部は、前記継手の部分を跨ぐ態様で配置され、前記継手の部分を含めて前記鋼矢板または鋼管矢板に水密に固定可能な形状であるので、鋼矢板または鋼管矢板によって構成された鉛直遮水壁の内外に水位差がなくても、継手の部分からの微量な漏水量を定量的に測定することができる。
【００８２】
また、本発明に係る他の遮水壁構造の漏水量測定装置によれば、前記容器の前記開口部の縁を、遮水壁に追従し、かつ変形しない硬度を備えた弾性体で構成したので、例えば継手の部分を跨って開口部を水密に固定する際にゴムが継手の部分の形状に応じて変形して密着性を高めるとともに、その後、容器の内部を所定の気圧状態にした際にゴムが過剰に変形するのを抑制することができる。
【００８３】
また、本発明に係る遮水壁構造の漏水量測定方法によれば、水中に立設された遮水用の遮水壁構造からの漏水量を測定するための方法であって、前記遮水壁構造の一方の側面に、開口部を有する容器からなる採水手段の前記開口部を固定した後、前記容器の内部を所定の気圧状態にするので、容器の内部を所定の気圧状態（例えば大気圧）にすることによって、容器の内部と、容器と同じ深さにある遮水壁構造の他方の側面との間に、容器の設置水深と気圧状態に応じた水頭差を作り出すことができる。この水頭差によって遮水壁構造の他方の側面から容器の開口部に向かう浸透流が発生し、漏水として容器の内部に溜まっていく。所定時間当たりの容器への貯留量を測定すれば漏水量を測定可能である。したがって、本発明によれば、遮水壁構造の内外に水位差がなくても、遮水壁構造からの微量な漏水量を定量的に測定することができる。
【００８４】
また、本発明に係る他の遮水壁構造の漏水量測定方法によれば、前記遮水壁構造の一方の側面に前記開口部を固定した後、前記容器の内部の水を抜いて、前記容器の内部を所定の気圧状態にするので、容器の内部と、容器と同じ深さにある遮水壁構造の他方の側面との間に、容易に水頭差を作り出すことができる。また、容器の内部に比べて外部の水圧が相対的に大きくなるので、側面に対する容器の開口部の密着性を高めることができる。
【００８５】
また、本発明に係る他の遮水壁構造の漏水量測定方法によれば、前記容器の内部を所定の気圧状態にした後、前記開口部を通じて前記容器の内部に入り込む前記遮水壁構造からの漏水量を測定するので、遮水壁構造からの微量な漏水量を定量的に測定することができる。
【００８６】
また、本発明に係る他の遮水壁構造の漏水量測定方法によれば、前記容器の内部を大気圧またはそれ以下の気圧状態にするので、所望の水頭差を作り出すことができる。大気圧よりも小さくすればより大きな水頭差を作り出すことが可能となり、遮水壁構造からの漏水の吸い出し力が高まって漏水量は増大する。漏水量が増大することで、漏水量の測定時間を短くすることができる。
【００８７】
また、本発明に係る他の遮水壁構造の漏水量測定方法によれば、前記容器の内部に入り込む漏水を外部より視認可能なように前記容器を構成したので、容器の内部の漏水状況を外部より容易に確認することができる。
【００８８】
また、本発明に係る他の遮水壁構造の漏水量測定方法によれば、前記容器の前記開口部を前記遮水壁構造の一方の側面に仮固定した後、前記容器の内部の水を吸引して、前記容器の前記開口部を前記遮水壁構造の一方の側面に水密に固定するとともに、前記容器の内部を所定の気圧状態にするので、容器の固定が容易になる。
【００８９】
また、本発明に係る他の遮水壁構造の漏水量測定方法によれば、一端が前記容器の内部に連通して、他端が気中に配置された空気入れ用ホースと、一端が前記容器の内部に連通して、他端が前記容器の外部に設けた貯水槽に連通した水抜き用ホースと、前記貯水槽に接続した真空ポンプとを有する構成において、前記真空ポンプを作動して前記貯水槽および前記水抜き用ホースを介して前記容器の内部の水を吸引し、前記容器の前記開口部を前記遮水壁構造の一方の側面に水密に固定するとともに、前記容器の内部を所定の気圧状態にするので、簡単な構成で遮水壁構造からの微量な漏水量を定量的に測定することができる。
【００９０】
また、本発明に係る他の遮水壁構造の漏水量測定方法によれば、前記遮水壁構造は、継手を介して連結された鋼矢板または鋼管矢板によって構成された鉛直遮水壁であり、前記容器の前記開口部は、前記継手の部分を跨ぐ態様で配置され、前記継手の部分を含めて前記鋼矢板または鋼管矢板に水密に固定可能な形状であるので、鋼矢板または鋼管矢板によって構成された鉛直遮水壁の内外に水位差がなくても、継手の部分からの微量な漏水量を定量的に測定することができる。
【００９１】
また、本発明に係る他の遮水壁構造の漏水量測定方法によれば、前記容器の前記開口部の縁を、遮水壁に追従し、かつ変形しない硬度を備えた弾性体で構成したので、例えば継手の部分を跨って開口部を水密に固定する際にゴムが継手の部分の形状に応じて変形して密着性を高めるとともに、その後、容器の内部を所定の気圧状態にした際にゴムが過剰に変形するのを抑制することができる。
【産業上の利用可能性】
【００９２】
以上のように、本発明に係る遮水壁構造の漏水量測定装置および測定方法は、例えば廃棄物海面処分場などの高い遮水性能が要求される継手を有する鋼矢板などからなる鉛直遮水壁構造の漏水量を現地で測定するのに有用であり、特に、水位差がなくても、微量な漏水量を定量的に測定するのに適している。
【符号の説明】
【００９３】
１０  鉛直遮水壁（遮水壁構造）
１０ａ  側面
１２  継手
１２ａ  上端部
１４  鋼矢板
１６  外側
１８  内側
２０  開口部
２２  容器
２２ａ  上面
２２ｂ  下面
２４  採水手段
２６  圧力調整手段
２８  ゴム
３０  把持部
３２  カプラ
３４  空気入れ用ホース
３６  カプラ
３８  水抜き用ホース
４０  貯水槽
４２  真空ポンプ
４４  ポータブル発電機
４６  アーム
４８  磁石
５０  仮固定手段
５２  コーキング材
１００  遮水壁構造の漏水量測定装置
Ｇ  海底地盤
ＷＬ  海面
Ｗ  漏水
【図１】
2016223849.tif 000003
【図２】
2016223849.tif 000004
【図３】
2016223849.tif 000005
【図４】
2016223849.tif 000006
【図５】
2016223849.tif 000007
【図６】
2016223849.tif 000008
【図７】
2016223849.tif 000009
【図８】
2016223849.tif 000010
【図９】
2016223849.tif 000011
【図１０】
2016223849.tif 000012